(57)【要約】【課題】複数の画像形成装置への設定作業を効率的にし、且つ、意図しない情報が取得される虞を少なくする。【解決手段】ＵＳＢメモリが接続されたと判断した場合に、ＵＳＢメモリに設定取得用入力ファイルＩＦＧが格納されているか否かを判断する（Ｓ１２）。そして、設定取得用入力ファイルＩＦＧが格納されている場合には、その設定取得用入力ファイルＩＦＧに記憶されている指定情報を解析する（Ｓ１６：解析処理）。その後、解析処理において解析された指定情報で指定される指定設定項目と、設定情報ＤＢに記憶された設定情報のうち指定設定項目に対応する指定設定情報と組み合わせた書込用情報を作成する（Ｓ１７：書込用情報作成処理）。さらに、解析処理において解析が行われる指定情報が記憶されたＵＳＢメモリの接続判断処理の後に行われる別の接続判断処理において、ＵＳＢメモリが接続されたと判断した場合、作成された書込用情報をＵＳＢメモリに記憶する（Ｓ１９：書込用情報出力処理）。【選択図】図４
2019180063.tif 000002
【特許請求の範囲】
【請求項１】
画像形成装置であって、
前記画像形成装置に関する複数個の設定項目に対応する設定情報を記憶する内部メモリと、
リムーバブルメモリと接続されるインターフェースと、
制御部とを備えており、
前記制御部は、
前記インターフェースにリムーバブルメモリが接続されたか否かを判断する接続判断処理と、
前記接続判断処理で前記リムーバブルメモリが接続されたと判断した場合に、接続された前記リムーバブルメモリに、前記複数個の設定項目のうちの少なくとも１つを指定する指定情報が記憶されているとき、当該指定情報を解析する解析処理と、
前記解析処理において解析された指定情報で指定される指定設定項目と、前記内部メモリに記憶された設定情報のうち前記指定設定項目に対応する指定設定情報とを組み合わせた書込用情報を作成する書込用情報作成処理と、
前記解析処理において解析が行われる指定情報が記憶されたリムーバブルメモリに係る前記接続判断処理の後に行われる別の前記接続判断処理で、前記インターフェースにリムーバブルメモリが接続されたと判断した場合に、前記書込用情報作成処理で作成された前記書込用情報を前記インターフェースに接続されている前記リムーバブルメモリに記憶させる書込用情報出力処理と、
を実行することが可能な画像形成装置。
【請求項２】
前記制御部は、
前記書込用情報作成処理で作成された書込用情報を前記内部メモリに記憶させる書込用情報記憶処理をさらに実行することが可能であり、
前記書込用情報出力処理において、前記書込用情報記憶処理で前記内部メモリに記憶された書込用情報を、前記別の接続判断処理で前記インターフェースに接続されたと判断されたリムーバブルメモリに記憶させることを特徴とする請求項１に記載の画像形成装置。
【請求項３】
前記制御部は、
前記接続判断処理で前記リムーバブルメモリが接続されたと判断した場合に、接続された前記リムーバブルメモリに、前記複数個の設定項目のうちの少なくとも１つを指定する指定情報が記憶されているとき、当該指定情報を前記内部メモリに記憶させる指定情報記憶処理をさらに実行可能であり、
前記書込用情報作成処理において、前記指定情報記憶処理において前記内部メモリに記憶された前記指定情報で指定される指定設定項目と、前記内部メモリに記憶された設定情報のうち前記指定設定項目に対応する指定設定情報とを組み合わせた書込用情報を作成することを特徴とする請求項２に記載の画像形成装置。
【請求項４】
前記制御部は、
前記接続判断処理で前記リムーバブルメモリが接続されたと判断した場合に、接続された前記リムーバブルメモリに、前記複数個の設定項目のうちの少なくとも１つを指定する指定情報が記憶されているとき、当該指定情報を前記内部メモリに記憶させる指定情報記憶処理をさらに実行することが可能であり、
前記別の接続判断処理で前記インターフェースにリムーバブルメモリが接続されたと判断した場合に、前記内部メモリに記憶された前記指定情報を用いて、前記書込用情報作成処理を実行することが可能であることを特徴とする請求項１に記載の画像形成装置。
【請求項５】
ユーザからの入力を受け付けるための受付部をさらに備えており、
前記内部メモリは、認証パスワードをさらに記憶しており、
前記制御部は、
前記受付部で受け付けた入力パスワードと、前記認証パスワードとが一致するか否かを判断する認証処理と、
前記認証処理で前記入力パスワードと前記認証パスワードとが一致したと判断した場合にのみ、前記書込用情報出力処理を実行可能なエクスポートモードとするモード設定処理とをさらに実行することを特徴とする請求項３に記載の画像形成装置。
【請求項６】
前記制御部は、
前記受付部が前記エクスポートモードを解除する指示を受け付けた場合に、前記内部メモリに記憶された前記書込用情報及び前記指定情報を削除し、前記エクスポートモードを解除するモード解除処理をさらに実行することを特徴とする請求項５に記載の画像形成装置。
【請求項７】
前記制御部は、前記認証処理及び前記モード設定処理を実行し、前記エクスポートモードとなってから前記指定情報記憶処理を実行することを特徴とする請求項５又は６に記載の画像形成装置。
【請求項８】
ユーザに情報を表示するユーザ情報表示部をさらに備えており、
前記制御部は、
前記指定情報記憶処理を実行した後に、パスワードの入力をユーザに要求するための表示内容を前記ユーザ情報表示部に表示させる入力要求処理をさらに実行し、
前記認証処理において前記入力パスワードと前記認証パスワードとが不一致であると判断した場合に、前記内部メモリに記憶された前記書込用情報及び前記指定情報を削除する削除処理をさらに実行することを特徴とする請求項５又は６に記載の画像形成装置。
【請求項９】
前記内部メモリは、認証パスワードをさらに記憶しており、
前記制御部は、
前記リムーバブルメモリに前記認証パスワードと一致するパスワードが記憶されているか否かを判断する認証処理と、
前記認証処理で前記リムーバブルメモリに前記認証パスワードと一致するパスワードが記憶されていると判断した場合にのみ、前記書込用情報出力処理を実行可能なエクスポートモードとするモード設定処理とをさらに実行することを特徴とする請求項３に記載の画像形成装置。
【請求項１０】
前記制御部は、
前記別の接続判断処理で前記リムーバブルメモリが接続されたと判断した場合に、前記書込用情報出力処理を実行する前に、接続された前記リムーバブルメモリに前記エクスポートモードを解除するための解除情報が記憶されているか否かを判断する解除判断処理と、
前記解除判断処理において、前記解除情報が記憶されていると判断した場合に、前記内部メモリに記憶された前記書込用情報及び前記指定情報を削除し、前記エクスポートモードを解除するモード解除処理とをさらに実行することを特徴とする請求項９に記載の画像形成装置。
【請求項１１】
ユーザからの入力を受け付けるための受付部をさらに備えており、
前記制御部は、
前記受付部が前記エクスポートモードを解除する指示を受け付けた場合に、前記内部メモリに記憶された前記書込用情報を削除し、前記エクスポートモードを解除するモード解除処理をさらに実行することを特徴とする請求項９に記載の画像形成装置。
【請求項１２】
前記解除情報は、前記指示情報であることを特徴とする請求項１０に記載の画像形成装置。
【請求項１３】
前記制御部は、
前記インターフェースに接続された前記リムーバブルメモリに前記書込用情報が記憶されていることを確認する書込用情報確認処理と、
前記書込用情報確認処理で前記書込用情報が記憶されていると確認した場合に、前記内部メモリに記憶された前記複数個の設定項目のうち、前記書込用情報に含まれる前記指定設定項目に対応する対応設定情報を、前記書込用情報に含まれる前記指定設定情報に基づいて変更する変更処理とをさらに実行することを特徴とする請求項１〜１２のいずれか１項に記載の画像形成装置。
【請求項１４】
前記内部メモリは、前記画像形成装置に関する固有情報をさらに記憶し、
前記制御部は、
前記書込用情報作成処理において、前記固有情報を含む前記書込用情報を作成し、
前記書込用情報確認処理で前記書込用情報が記憶されていると確認した場合に、前記書込用情報に含まれている前記固有情報が前記内部メモリに記憶されている前記固有情報と一致するか否かを判断する装置識別処理をさらに実行し、
前記装置識別処理において前記書込用情報に含まれている前記固有情報が前記内部メモリに記憶されている前記固有情報と一致しないと判断した場合に、前記変更処理を実行することを特徴とする請求項１３に記載の画像形成装置。
【請求項１５】
前記制御部は、
前記インターフェースに接続された前記リムーバブルメモリに記憶されたファイルのファイル名を取得するファイル名取得処理をさらに実行し、
前記書込用情報確認処理において、前記ファイル名取得処理で取得した前記ファイル名に所定文字列が含まれる場合に前記書込用情報が記憶されていると判断し、
前記書込用情報出力処理において、ファイル名に前記所定文字列を含むファイルを前記書込用情報として出力することを特徴とする請求項１３又は１４に記載の画像形成装置。
【請求項１６】
画像形成装置に用いられるプログラムであって、
前記画像形成装置は、前記画像形成装置に関する複数個の設定項目に対応する設定情報を記憶する内部メモリと、リムーバブルメモリと接続されるインターフェースと、制御部とを備えており、
前記制御部に、
前記インターフェースにリムーバブルメモリが接続されたか否かを判断する接続判断処理と、
前記接続判断処理で前記リムーバブルメモリが接続されたと判断した場合に、接続された前記リムーバブルメモリに、前記複数個の設定項目のうちの少なくとも１つを指定する指定情報が記憶されているとき、当該指定情報を解析する解析処理と、
前記解析処理において解析された指定情報で指定される指定設定項目と、前記内部メモリに記憶された設定情報のうち前記指定設定項目に対応する指定設定情報とを組み合わせた書込用情報を作成する書込用情報作成処理と、
前記解析処理において解析が行われる指定情報が記憶されたリムーバブルメモリに係る前記接続判断処理の後に行われる別の前記接続判断処理で、前記インターフェースにリムーバブルメモリが接続されたと判断した場合に、前記書込用情報作成処理で作成された前記書込用情報を前記インターフェースに接続されている前記リムーバブルメモリに記憶させる書込用情報出力処理と、
を実行可能とさせるプログラム。
【発明の詳細な説明】
【技術分野】
【０００１】
本発明は、リムーバブルメモリに記憶された情報に基づいて設定を行うことができる画像形成装置、及び画像形成装置を設定するためのプログラムに関する。
【背景技術】
【０００２】
特許文献１には、画像形成装置を設定（例えば、ディスプレイの表示言語、スリープ移行秒数）するための設定ファイルが格納されたリムーバブルメモリが接続されると、設定ファイルを読み出し、設定ファイルに含まれる設定に関する情報に基づいて設定が行われる画像形成装置が開示されている。
【０００３】
特許文献２には、設定情報を含む装置情報のＵＳＢ（Universal Serial Bus）メモリへの読み取り指示（指示情報）を含む指示情報ファイル（指示ファイル）を予めパーソナルコンピュータなどで作成してＵＳＢメモリに格納しておくことが開示されている。そして、ＵＳＢメモリを画像形成装置に接続すると、画像形成装置の装置情報の複数の項目のうち指示情報ファイルで指示された項目に対応する情報を含むファイルがＵＳＢメモリに格納される。
【先行技術文献】
【特許文献】
【０００４】
【特許文献１】特開２００７−２７４４６０号公報
【特許文献２】特開２００７−２７６３６２号公報
【発明の概要】
【発明が解決しようとする課題】
【０００５】
ユーザは、特許文献２に開示された技術を用いて設定作業済みの画像形成装置の設定情報をリムーバブルメモリに記憶させ、さらに特許文献１に開示された技術を用いて、当該リムーバブルメモリを別の画像形成装置に接続することで、当該別の画像形成装置の設定を設定作業済みの画像形成装置の設定情報に基づいて容易に行うことができる。しかしながら、設定済みの画像形成装置の設定情報を用いて、複数の作業者で手分けして複数の画像形成装置の設定を行う場合には、設定済みの画像形成装置の設定情報が記憶された複数のリムーバブルメモリを用意する必要がある。そのためには、予め複数のリムーバブルメモリに指示ファイルをそれぞれ格納する煩雑な作業が必要である。また、この格納作業を作業者に任せた場合、指示ファイルが作業者によって不本意に書き換えられて、設定作業済みの画像形成装置に記憶された、設定情報の複数の項目のうち意図しない項目に対応する情報まで取得される虞がある。
【０００６】
本発明の目的は、複数の画像形成装置への設定作業を効率的にし、且つ、意図しない情報が取得される虞が少ない画像形成装置及びプログラムを提供することである。
【課題を解決するための手段】
【０００７】
本発明は、画像形成装置であって、前記画像形成装置に関する複数個の設定項目に対応する設定情報を記憶する内部メモリと、リムーバブルメモリと接続されるインターフェースと、制御部とを備えており、前記制御部は、前記インターフェースにリムーバブルメモリが接続されたか否かを判断する接続判断処理と、前記接続判断処理で前記リムーバブルメモリが接続されたと判断した場合に、接続された前記リムーバブルメモリに、前記複数個の設定項目のうちの少なくとも１つを指定する指定情報が記憶されているとき、当該指定情報を解析する解析処理と、前記解析処理において解析された指定情報で指定される指定設定項目と、前記内部メモリに記憶された設定情報のうち前記指定設定項目に対応する指定設定情報とを組み合わせた書込用情報を作成する書込用情報作成処理と、前記解析処理において解析が行われる指定情報が記憶されたリムーバブルメモリに係る前記接続判断処理の後に行われる別の前記接続判断処理で、前記インターフェースにリムーバブルメモリが接続されたと判断した場合に、前記書込用情報作成処理で作成された前記書込用情報を前記インターフェースに接続されている前記リムーバブルメモリに記憶させる書込用情報出力処理と、実行する。
【０００８】
また、本発明は、画像形成装置のためのプログラムに適用することもできる。
【発明の効果】
【０００９】
本発明では、指定情報が記憶されているリムーバブルメモリを設定作業済みの画像形成装置に接続した後、別のリムーバブルメモリを当該設定作業済みの画像形成装置に接続して書込用情報を記憶させることができる。すなわち、設定作業済みの画像形成装置に接続するだけで、指定情報が記憶されていないリムーバブルメモリに書込用情報を記憶させることができる。したがって、書込用情報を記憶するリムーバブルメモリを容易に複数個作成することができるので、複数の画像形成装置への設定作業を効率的に行うことができる。また、予め複数のリムーバブルメモリに指定情報をそれぞれ記憶させる作業を作業者に任せる必要が無くなるので、指定情報が予期せず変更されなくなって、設定作業済みの画像形成装置から意図しない情報が取得される虞が少なくなる。
【図面の簡単な説明】
【００１０】
【図１】本発明の第１実施形態にかかる複合機を含むシステムのブロック図である。
【図２】取得した設定情報を別の複合機にコピーする処理手順を示すフローチャートである。
【図３】（ａ）は設定取得用入力ファイルの一例を、（ｂ）は設定変更用入力ファイルの一例を示す。
【図４】図１の制御部で実行される設定取得処理の手順の一例を示すフローチャートである。
【図５】図１に示すタッチパネルに表示される画面であり、（ａ）はパスワード入力画面、（ｂ）は失敗報知画面、（ｃ）は取外許可報知画面、（ｄ）は解除指示入力画面を示す。
【図６】図１の制御部で実行される設定変更処理の手順の一例を示すフローチャートである。
【図７】図１に示すタッチパネルに表示される完了報知画面を示す。
【図８】本発明の第２実施形態にかかる複合機の制御部で実行される設定取得処理の手順の一例を示すフローチャートである。
【発明を実施するための形態】
【００１１】
[第１実施形態]
以下、本発明の第１実施形態にかかる複合機について図面を参照しつつ説明する。本実施形態は、印刷機能及びスキャナ機能を有する電子機器である複合機（ＭＦＰ：Multi Function Peripheral）に本発明を適用したものである。図１に示すように、本実施形態の複合機１Ａは、ＵＳＢ（Universal Serial Bus）メモリ３を介して、ＰＣ２や他の複合機１Ｂとの間でデータ交換可能に構成されている。なお、本実施形態においては、複合機１Ａ、１Ｂがいずれも通信ネットワークに接続されていない状態を想定する。
【００１２】
（複合機１Ａの構成）
複合機１Ａ、１Ｂの構成は同じであるので、ここでは複合機１Ａの構成について説明する。図１に示すように、複合機１Ａは、ＣＰＵ１１、揮発性記憶装置１２及び不揮発性記憶装置１３を含む制御部１０を備えている。制御部１０には、タッチパネル１４、操作ボタン１５、プリンタ部１６、スキャナ部１７及びＵＳＢインターフェース（ＵＳＢＩ／Ｆ）１８が電気的に接続されている。
【００１３】
タッチパネル１４は、入力機能及び表示機能を備えたユーザインターフェースである。プリンタ部１６は、所定の方式（例えば、レーザ方式やインクジェット方式）で、用紙上に画像を印刷する装置である。スキャナ部１７は、ＣＣＤやＣＭＯＳなどの光電変換素子を用いて光学的に文書等の対象物を読みとって、スキャンデータを生成する。ＵＳＢＩ／Ｆ１８は、ＵＳＢ規格のインターフェースであり、リムーバブルメモリとしてのＵＳＢメモリ３を接続することができる。ＣＰＵ１１はＵＳＢＩ／Ｆ１８を介して、ＵＳＢメモリ３にアクセスすることができる。なお、本実施形態の複合機１Ａは、ダイレクトプリント機能を有しており、ＵＳＢＩ／Ｆ１８に接続されたＵＳＢメモリ３に格納された画像ファイルにかかるサムネイル画像をタッチパネル１４に表示させ、ユーザが選択したサムネイル画像に対応するデジタル画像を印刷することができる。
【００１４】
揮発性記憶装置１２は、ＲＡＭ(Random Access Memory)などであり、ＣＰＵ１１が処理を行う際に生成される種々の中間データを一時的に格納するバッファ領域を提供する。不揮発性記憶装置１３は、ハードディスクドライブやフラッシュメモリなどであり、コンピュータプログラム１３ａと、設定情報ＤＢ１３ｂと、認証パスワード１３ｃと、装置識別情報１３ｄと、が記憶されている。揮発性記憶装置１２や不揮発性記憶装置１３は、複合機１Ａの内部メモリである。
【００１５】
コンピュータプログラム１３ａは、複合機１Ａの製造時に不揮発性記憶装置１３に予め格納されるものである。コンピュータプログラム１３ａは、例えば、ＣＤ−ＲＯＭなどに記録された形態で提供されてもよい。ＣＰＵ１１は、コンピュータプログラム１３ａを実行することにより、複合機１Ａの制御を実行する。
【００１６】
設定情報ＤＢ１３ｂには、複合機１Ａに関する複数個の設定項目に対応する複数個の設定情報が記憶されている。複数個の設定項目は、例えば、プリンタ部１６に関する設定項目、スキャナ部１７に関する設定項目、タッチパネル１４に関する設定項目、複合機１Ａの電源に関する設定項目を含む。設定項目の具体例は、後述する。なお、後で詳述するように、複合機１Ａの制御部１０では、設定情報ＤＢ１３ｂに記憶された設定情報を変更する処理（以下、「設定変更処理」とする）、及び、設定情報ＤＢ１３ｂに記憶された設定情報を取得して作成した書込用情報を外部に出力する処理（以下、「設定取得処理」とする）、を含む設定関連処理を実行可能である。
【００１７】
認証パスワード１３ｃは、設定取得処理で作成した書込用情報を外部（ＵＳＢＩ／Ｆ１８に接続されたＵＳＢメモリ３）に出力可能なエクスポートモードに移行するために必要なパスワードである。すなわち、制御部１０は、後述するように、ユーザにより入力された入力パスワードが、不揮発性記憶装置１３に記憶されている認証パスワード１３ｃと一致した場合に、エクスポートモードに移行する。装置識別情報１３ｄは、複合機１Ａに固有に設定されているシリアルＩＤである。
【００１８】
（ＰＣ２の構成）
ＰＣ２は、ＣＰＵ２１、揮発性記憶装置２２及び不揮発性記憶装置２３を含む制御部２０を備えている。制御部２０には、ＵＳＢインターフェース（ＵＳＢＩ／Ｆ）２４、ネットワークインターフェース（ネットワークＩ／Ｆ）２５、液晶ディスプレイなどの表示部２６及びマウスやキーボードなどの操作部２７が電気的に接続されている。ＵＳＢＩ／Ｆ２４は、ＵＳＢ規格のインターフェースであり、リムーバブルメモリとしてのＵＳＢメモリ３を接続することができる。ＣＰＵ２１はＵＳＢＩ／Ｆ２４を介して、ＵＳＢメモリ３にアクセスすることができる。ネットワークＩ／Ｆ２５は、ネットワークを介してサーバなどの他の外部装置と接続されている。よってＰＣ２は、ネットワークを介して外部装置との間でデータの送受信が可能である。
【００１９】
揮発性記憶装置２２は、ＲＡＭなどであり、ＣＰＵ２１のためのバッファ領域を提供する。不揮発性記憶装置２３は、ハードディスクドライブなどであり、コンピュータプログラム２３ａが記憶されている。コンピュータプログラム２３ａは、例えば、サーバからダウンロードされる形態、又は、ＤＶＤ−ＲＯＭなどに格納される形態で、複合機１Ａの製造者によって提供される。ＣＰＵ２１は、コンピュータプログラム２３ａを実行することによって、複合機１Ａの制御部１０で上述の設定取得処理を実行する際に用いられる設定取得用入力ファイルＩＦＧを作成するアプリケーションとして機能する。
【００２０】
設定取得用入力ファイルＩＦＧのファイル名としては、例えば「read.json」となる。設定取得用入力ファイルＩＦＧのファイル名の最初の文字列「read」は、設定取得処理のために用いられる設定取得用入力ファイルＩＦＧであることを示す文字列である。「.json」は、設定取得用入力ファイルＩＦＧに含まれる情報が、ＪＳＯＮ（Java Script Object Notationの略（JavaScriptは登録商標））と呼ばれるデータ記述言語を用いて記述されていることを示す拡張子である。
【００２１】
（複合機間での設定情報のコピー）
上述のように、複合機１Ａの制御部１０では、設定変更処理及び設定取得処理を含む設定関連処理を実行可能である。そして、他の複合機１Ｂも同様の機能を備えている。したがって例えば、複合機１Ａが設定作業済みである場合、複合機１Ａで設定取得処理を実行して設定情報を取得し、複合機１Ａから取得した設定情報を用いて複合機１Ｂで設定変更処理を実行して設定情報を変更することができる。つまり、設定作業済みの複合機１Ａの設定情報を複合機１Ｂにコピーすることができる。ここで図２を参照しつつ、複合機１Ａの設定情報を複合機１Ｂにコピーする処理の手順について説明する。
【００２２】
まずＰＣ２を用いて、複合機１Ａで設定取得処理を実行する際に用いる設定取得用入力ファイルＩＦＧを作成し、作成した設定取得用入力ファイルＩＦＧをＵＳＢメモリ３に格納する（Ｓ１）。ここで、図３（ａ）を参照しつつ、設定取得用入力ファイルＩＦＧの一例について説明する。
【００２３】
設定取得用入力ファイルＩＦＧに含まれる情報は、ＪＳＯＮを用いて記述されている。設定取得用入力ファイルＩＦＧに含まれる情報は、設定情報ＤＢ１３ｂに記憶されている複数の設定情報に対応する複数の設定項目のうち、その設定情報を取得する設定項目を指定する指定情報である。すなわち、設定取得用入力ファイルＩＦＧに記憶されている情報は、設定項目の名称を含んでいる。
【００２４】
図３（ａ）の例では、指定情報は、設定項目の名称として、「本体表示言語」、「スリープ移行秒数」、「用紙タイプ」、及び「用紙サイズ」を含んでいる。「本体表示言語」は、タッチパネル１４に表示されるユーザインターフェース（ＵＩ）画面で用いられる言語を規定する設定項目である。「スリープ移行秒数」は、複合機１Ａの電源の状態が通常の待機状態で維持される秒数を規定する設定項目である。待機状態において、動作指示が入力されることなく規定された秒数が経過した場合には、複合機１Ａは待機状態からスリープ状態に移行される。「用紙タイプ」及び「用紙サイズ」は、いずれもプリンタ部１６で画像を形成する際に用いる用紙を規定する設定項目であり、「用紙タイプ」は用紙の種類を規定し、「用紙サイズ」は用紙の大きさを規定する。
【００２５】
設定取得用入力ファイルＩＦＧに記憶されている情報は、設定情報は含んでいない。例えば、図３（ａ）の例では、「本体表示言語」などの設定項目の名称と、コロン「：」を挟んで対となる部分は、空欄やゼロとされている。変形例としては、設定取得用入力ファイルＩＦＧに設定情報が記憶されていてもよい。この場合には、設定取得用入力ファイルＩＦＧに記憶されている設定情報は、後述する設定取得処理（図４）において使用されない。
【００２６】
図３（ａ）に示す設定取得用入力ファイルＩＦＧは、例えばＰＣ２において、ＣＰＵ２１がコンピュータプログラム２３ａを実行することによって実現される入力ファイル作成機能を利用して作成される。例えば、取得すべき設定情報に対応する設定項目を指定する指定情報と、設定取得用入力ファイルＩＦＧの作成指示とが、ＰＣ２に入力されると、入力ファイル作成機能は、設定取得用入力ファイルＩＦＧを作成する。なお、設定取得用入力ファイルＩＦＧは、一般的なテキスト編集プログラムを用いて作成されてもよい。
【００２７】
図２に戻って、設定取得用入力ファイルＩＦＧが格納されたＵＳＢメモリ３を、コピー元の複合機１ＡのＵＳＢＩ／Ｆ１８に接続する（Ｓ２）。これにより、後述する設定取得処理が複合機１Ａの制御部１０によって開始される。次に、設定取得用入力ファイルＩＦＧが格納されたＵＳＢメモリ３をコピー元の複合機１ＡのＵＳＢＩ／Ｆ１８から取り外し、別のＵＳＢメモリ３をコピー元の複合機１ＡのＵＳＢＩ／Ｆ１８に接続する。これにより、コピー先の複合機１Ｂにコピーすべき設定情報を含む設定情報ファイルがＵＳＢメモリ３に格納される（Ｓ３）。このときＵＳＢメモリ３に格納される設定情報ファイルは、コピー先の複合機１Ｂの制御部１０で設定変更処理を実行する際に用いられる設定変更用入力ファイルＩＦＳとして機能する。
【００２８】
Ｓ３でＵＳＢメモリ３に格納された設定変更用入力ファイルＩＦＳのファイル名としては、例えば「write.json」となる。すなわち、設定変更用入力ファイルＩＦＳのファイル名の最初の文字列「write」（本発明の「所定文字列」に対応する）は、設定変更処理のために用いられる設定変更用入力ファイルＩＦＳであることを示す文字列である。「.json」は、設定変更用入力ファイルＩＦＳに含まれる情報（以下、「書込用情報」とする）が、ＪＳＯＮを用いて記述されていることを示す拡張子である。
【００２９】
ここで図３（ｂ）を参照しつつ、設定変更用入力ファイルＩＦＳの一例について説明する。設定変更用入力ファイルＩＦＳに含まれる書込用情報は、ＪＳＯＮを用いて記述されている。書込用情報は、設定項目の名称と、当該名称によって示される設定項目に対応する設定情報と、の組み合わせ（ペア）を含んでいる。図３（ｂ）の例では、「本体表示言語」、「スリープ移行秒数」、「用紙タイプ」、及び「用紙サイズ」は、設定項目の名称である。そして、「英語」は「本体表示言語」に対応する設定情報であり、「３０」は「スリープ移行秒数」に対応する設定情報であり、「普通」は「用紙タイプ」に対応する設定情報であり、「Ａ４」は「用紙サイズ」に対応する設定情報である。コロン「：」を挟んで対になっている「本体表示言語」と「英語」、「スリープ移行秒数」と「３０」、「用紙タイプ」と「普通」、及び、「用紙サイズ」と「Ａ４」は、上述した設定項目の名称と設定情報とのペアの一例である。
【００３０】
図２に戻って、設定変更用入力ファイルＩＦＳが格納されたＵＳＢメモリ３を、コピー先の複合機１ＢのＵＳＢＩ／Ｆ１８に接続する。これによって、後述する設定変更処理が、コピー先の複合機１Ｂの制御部１０によって実行される。この結果、コピー先の複合機１Ｂの設定情報ＤＢ１３ｂに含まれる特定の設定情報が、設定変更用入力ファイルＩＦＳに含まれる設定情報に変更される（Ｓ４）。
【００３１】
（設定取得処理）
次に、図４を参照しつつ、複合機１Ａの制御部１０で実行される設定取得処理の手順の一例について説明する。
【００３２】
まず、ＵＳＢＩ／Ｆ１８に対してＵＳＢメモリ３が接続されたことを検出したか否かを判断する（Ｓ１１：接続判断処理）。Ｓ１１での判断は、ＵＳＢメモリ３が接続されたと判断するまで繰り返し行われる。ＵＳＢメモリ３が接続されたと判断した場合には（Ｓ１１：ＹＥＳ）、ＵＳＢＩ／Ｆ１８に接続されたＵＳＢメモリ３に設定取得用入力ファイルＩＦＧが格納されているか否かを判断する（Ｓ１２）。具体的には、ＵＳＢメモリ３に格納されているファイルの中に、ファイル名に設定取得用入力ファイルＩＦＧであることを示す文字列「read」が含まれているファイルがあるか否かを判断する。そして、設定取得用入力ファイルＩＦＧが格納されていないと判断した場合には（Ｓ１２：ＮＯ）、設定取得処理を終了する。
【００３３】
Ｓ１２での処理において、設定取得用入力ファイルＩＦＧが格納されていると判断した場合には（Ｓ１２：ＹＥＳ）、タッチパネル１４に図５（ａ）に示すようなパスワード入力画面９０を表示し、パスワード入力画面９０でユーザにより入力されたパスワードを受け付けたか否かを判断する（Ｓ１３）。図５（ａ）に示すように、パスワード入力画面９０には、パスワードを入力するための入力キー９０ａが表示される。Ｓ１３での判断は、パスワードを受け付けたと判断するまで繰り返し行われる。そして、パスワードを受け付けたと判断した場合には（Ｓ１３：ＹＥＳ）、ユーザにより入力された入力パスワードが、不揮発性記憶装置１３に記憶されている認証パスワード１３ｃと一致するか否かを判断する（Ｓ１４）。
【００３４】
ユーザにより入力された入力パスワードが認証パスワード１３ｃと一致しないと判断した場合には（Ｓ１４：ＮＯ）、タッチパネル１４に図５（ｂ）に示すような失敗報知画面９１を表示し、パスワードが間違っているためにエクスポートモードに移行できない旨をユーザに報知し（Ｓ２４）、設定取得処理を終了する。一方、ユーザにより入力された入力パスワードが認証パスワード１３ｃと一致すると判断した場合には（Ｓ１４：ＹＥＳ）、後述する書込用情報作成処理で作成する書込用情報をＵＳＢＩ／Ｆ１８に接続されたＵＳＢメモリ３に出力可能なエクスポートモードに移行する（Ｓ１５）。
【００３５】
続いて、ＵＳＢＩ／Ｆ１８に接続されたＵＳＢメモリ３に格納されている設定取得用入力ファイルＩＦＧに記憶されている指定情報を揮発性記憶装置１２に記憶し、その指定情報を解析する（Ｓ１６：指定情報記憶処理／解析処理）。なお、指定情報の揮発性記憶装置１２への記憶が完了した時点で、タッチパネル１４に図５（ｃ）に示すような取外許可報知画面９２を表示し、ＵＳＢＩ／Ｆ１８へのＵＳＢメモリ３の接続を解除してＵＳＢメモリ３を取り外すことが可能である旨をユーザに報知する。その後、Ｓ１６の解析処理で解析された指定情報で指定される指定設定項目と、設定情報ＤＢ１３ｂに記憶された設定情報のうち指定設定項目に対応する指定設定情報とを組み合わせた書込用情報を作成し、揮発性記憶装置１２に記憶する（Ｓ１７：書込用情報作成処理／書込用情報記憶処理）。なお、書込用情報には、不揮発性記憶装置１３に記憶されている装置識別情報１３ｄであるシリアルＩＤも含む。
【００３６】
その後、ＵＳＢＩ／Ｆ１８に対してＵＳＢメモリ３が接続されたことを検出したか否かを判断する（Ｓ１８：接続判断処理）。すなわち、Ｓ１６において揮発性記憶装置１２に記憶した指定情報が記憶されていたＵＳＢメモリ３が、Ｓ１６の処理の後にＵＳＢＩ／Ｆ１８から取り外され、再度ＵＳＢＩ／Ｆ１８に対してＵＳＢメモリ３が接続されたか否かを判断する。Ｓ１８の判断は、ＵＳＢＩ／Ｆ１８に対してＵＳＢメモリ３が接続されたと判断するまで繰り返し行われる。
【００３７】
そして、ＵＳＢＩ／Ｆ１８に対してＵＳＢメモリ３が接続されたと判断した場合には（Ｓ１８：ＹＥＳ）、Ｓ１７で作成されて揮発性記憶装置１２に記憶された書込用情報を含む設定情報ファイルをＵＳＢメモリ３に記憶する（Ｓ１９）。このとき、ＵＳＢメモリ３に記憶される設定情報ファイルのファイル名は、例えば、「write.json」とする。すなわち、文字列「write」を含んでいるので、ＵＳＢメモリ３に記憶される設定情報ファイルは、設定変更処理のために用いられる設定変更用入力ファイルＩＦＳとして機能する。なお、変形例としては、Ｓ１９でＵＳＢメモリ３に記憶される設定情報ファイルのファイル名は文字列「write」を含んでいなくてもよい。また、Ｓ１７の時点で書込用情報を含む設定情報ファイルが作成されていてもよい。
【００３８】
さらに、ＵＳＢメモリ３への記憶処理が完了したか否かを判断する（Ｓ２０）。Ｓ２０での判断は、ＵＳＢメモリ３への記憶処理が完了したと判断するまで繰り返し行われる。そして、ＵＳＢメモリ３への記憶処理が完了したと判断した場合には（Ｓ２０：ＹＥＳ）、タッチパネル１４に図５（ｄ）に示すような解除指示入力画面９４を表示し、解除指示入力画面９４でユーザにより入力されたエクスポートモードの解除指示を受け付けたか否かを判断する（Ｓ２１）。図５（ｄ）に示すように、解除指示入力画面９４には、エクスポートモードの解除指示を入力するための入力ボタン９３ａと、ＵＳＢＩ／Ｆ１８へのＵＳＢメモリ３の接続を解除してＵＳＢメモリ３を取り外すことが可能である旨のメッセージ９３ｂとが表示される。
【００３９】
そして、解除指示を受け付けていないと判断した場合には（Ｓ２１：ＮＯ）、上述のＳ１８に戻って、再度ＵＳＢＩ／Ｆ１８に対してＵＳＢメモリ３が接続されたか否かを判断する。すなわち、解除指示を受け付けない限りは、ＵＳＢＩ／Ｆ１８に対して次々に接続されるＵＳＢメモリ３に対して、書込用情報を記憶させることができる。一方、解除指示を受け付けたと判断した場合には（Ｓ２１：ＹＥＳ）、Ｓ１６において記憶した指定情報及びＳ１７において記憶した書込用情報をそれぞれ揮発性記憶装置１２から削除する（Ｓ２２）。その後、エクスポートモードを解除し（Ｓ２３：モード解除処理）、設定取得処理を終了する。
【００４０】
（設定変更処理）
次に、図６を参照しつつ、複合機１Ａの制御部１０で実行され設定変更処理の手順の一例について説明する。
【００４１】
まず、ＵＳＢＩ／Ｆ１８に対してＵＳＢメモリ３が接続されたことを検出したか否かを判断する（Ｓ３１）。Ｓ３１での判断は、ＵＳＢメモリ３が接続されたと判断するまで繰り返し行われる。ＵＳＢメモリ３が接続された判断した場合には（Ｓ３１：ＹＥＳ）、ＵＳＢＩ／Ｆ１８に接続されたＵＳＢメモリ３に設定変更用入力ファイルＩＦＳが格納されているか否かを判断する（Ｓ３２：書込用情報確認処理）。具体的には、ＵＳＢメモリ３に格納されているファイルのファイル名を取得し（ファイル名取得処理）、取得したファイル名に設定変更用入力ファイルＩＦＳであることを示す文字列「write」が含まれているか否かを判断する。そして、設定変更用入力ファイルＩＦＳが格納されていないと判断した場合には（Ｓ３２：ＮＯ）、設定変更処理を終了する。
【００４２】
Ｓ３２での処理において、設定変更用入力ファイルＩＦＳが格納されていると判断した場合には（Ｓ３２：ＹＥＳ）、設定変更用入力ファイルＩＦＳに記憶されている書込用情報に含まれるシリアルＩＤが、不揮発性記憶装置１３に記憶されている装置識別情報１３ｄであるシリアルＩＤと異なっているか否かを判断する（Ｓ３３：装置識別処理）。なお、変形例としては、Ｓ３３の装置識別処理は行われなくてもよい。そして、書込用情報に含まれるシリアルＩＤが、不揮発性記憶装置１３に記憶されているシリアルＩＤと一致すると判断した場合には（Ｓ３３：ＮＯ）、設定変更処理を終了する。
【００４３】
一方、書込用情報に含まれるシリアルＩＤが、不揮発性記憶装置１３に記憶されているシリアルＩＤと異なると判断した場合には（Ｓ３３：ＹＥＳ）、設定情報ＤＢ１３ｂに記憶された複数個の設定項目のうち、書込用情報に含まれる指定設定項目に対応する対応設定情報を、書込用情報に含まれる指定設定情報に基づいて変更する（Ｓ３４：変更処理）。
【００４４】
その後、設定情報ＤＢ１３ｂに記憶された複数個の設定項目のうち、書込用情報に含まれる全ての指定設定項目に対応する対応設定情報の変更が完了したか否かを判断する（Ｓ３５）。Ｓ３５での判断は、変更が完了したと判断するまで繰り返し行われる。そして、変更が完了したと判断した場合（Ｓ３５：ＹＥＳ）、タッチパネル１４に図７に示すような完了報知画面９５を表示し、設定変更処理が完了した旨をユーザに報知する（Ｓ３６）。
【００４５】
以上のように、上述の実施形態の複合機１Ａでは、接続判断処理においてＵＳＢＩ／Ｆ１８にＵＳＢメモリ３が接続されたと判断した場合に、接続されたＵＳＢメモリ３に設定取得用入力ファイルＩＦＧが格納されているか否かを判断する（Ｓ１２）。そして、ＵＳＢメモリ３に設定取得用入力ファイルＩＦＧが格納されている場合には、その設定取得用入力ファイルＩＦＧに記憶されている指定情報を解析する（Ｓ１６：解析処理）。その後、解析処理において解析された指定情報で指定される指定設定項目と、設定情報ＤＢ１３ｂに記憶された設定情報のうち指定設定項目に対応する指定設定情報と組み合わせた書込用情報を作成する（Ｓ１７：書込用情報作成処理）。さらに、解析処理において解析が行われる指定情報が記憶されたＵＳＢメモリ３の接続判断処理の後に行われる別の接続判断処理において、ＵＳＢＩ／Ｆ１８にＵＳＢメモリ３が接続されたと判断した場合、書込用情報作成処理で作成された書込用情報をＵＳＢＩ／Ｆ１８に接続されているＵＳＢメモリ３に記憶する（Ｓ１９：書込用情報出力処理）。
したがって、指定情報が記憶されているＵＳＢメモリ３を設定作業済みの複合機１Ａに接続した後、別のＵＳＢメモリ３を当該設定作業済み複合機１Ａに接続して書込用情報を記憶させることができる。すなわち、設定作業済みの複合機１Ａに接続するだけで、指定情報が記憶されていないＵＳＢメモリ３に書込用情報を記憶させることができる。よって、書込用情報を記憶するＵＳＢメモリ３を容易に複数個作成することができるので、複数の複合機１Ｂへの設定作業を効率的に行うことができる。また、予め複数のＵＳＢメモリ３に指定情報をそれぞれ記憶させる作業を作業者に任せる必要が無くなるので、指定情報が予期せず変更されなくなって、設定作業済みの複合機１Ａから意図しない情報が取得される虞が少なくなる。
【００４６】
また、上述の実施形態では、書込用情報作成処理で作成された書込用情報は、揮発性記憶装置１２に記憶する。そして、書込用情報出力処理においては、揮発性記憶装置１２に記憶された書込用情報を含む設定情報ファイルを、別の接続判断処理においてＵＳＢＩ／Ｆ１８に接続されたと判断されたＵＳＢメモリ３に記憶する。したがって、別の接続判断処理でＵＳＢＩ／Ｆ１８にＵＳＢメモリ３が接続されたと判断されるか否かに拘わらず書込用情報を作成して揮発性記憶装置１２に記憶しておくことができるので、ＵＳＢＩ／Ｆ１８にＵＳＢメモリ３が接続されてから当該ＵＳＢメモリ３への書込用情報の記憶が完了するまでの時間を短縮することができる。
【００４７】
さらに、上述の実施形態では、ＵＳＢＩ／Ｆ１８に接続されたＵＳＢメモリ３に設定取得用入力ファイルＩＦＧが格納されていると判断した場合に（Ｓ１２：ＹＥＳ）、その設定取得用入力ファイルＩＦＧに記憶されている指定情報を揮発性記憶装置１２に記憶させる（Ｓ１６：指定情報記憶処理）。そして、書込用情報作成処理において、揮発性記憶装置１２に記憶された指定情報で指定される指定設定項目と、設定情報ＤＢ１３ｂに記憶された設定情報のうち指定設定項目に対応する指定設定情報とを組み合わせた書込用情報を作成する。したがって、指定情報記憶処理において指定情報を揮発性記憶装置１２に記憶させた後は、書込用情報作成処理を実行する前であっても、ＵＳＢＩ／Ｆ１８へのＵＳＢメモリ３の接続を解除することができる。
【００４８】
また、上述の実施形態では、タッチパネル１４に表示したパスワード入力画面９０でユーザにより入力された入力パスワードが、不揮発性記憶装置１３に記憶されている認証パスワード１３ｃと一致するか否かを判断し（Ｓ１４：認証処理）、これらが一致した場合にのみ、書込用情報をＵＳＢＩ／Ｆ１８に接続されたＵＳＢメモリ３に出力可能なエクスポートモードに移行する（Ｓ１５：モード設定処理）。したがって、入力パスワードでの認証がなされた場合にのみ書込用情報をＵＳＢメモリ３に記憶させることで、意図しない情報の流出を防ぐことができる。
【００４９】
また、上述の実施形態においては、タッチパネル１４に表示した解除指示入力画面９４においてユーザからのエクスポートモードを解除する指示を受け付けた場合に（Ｓ２１：ＹＥＳ）、揮発性記憶装置１２に記憶した書込用情報及び指定情報をそれぞれ削除する（Ｓ２２：モード解除処理）。したがって、エクスポートモードが終了したときに、揮発性記憶装置１２に記憶されている書込用情報及び指定情報を削除することができる。
【００５０】
また、上述の実施形態においては、Ｓ１５においてエクスポートモードに移行した後に、Ｓ１６においてＵＳＢＩ／Ｆ１８に接続されたＵＳＢメモリ３に格納されている設定取得用入力ファイルＩＦＧに記憶されている指定情報を揮発性記憶装置１２に記憶する。したがって、エクスポートモードでない場合に、不用意に指定情報が揮発性記憶装置１２に記憶されるのを避けることができる。
【００５１】
さらに、上述の実施形態においては、ＵＳＢＩ／Ｆ１８に接続されたＵＳＢメモリ３に設定変更用入力ファイルＩＦＳが格納されているか否かを判断する（Ｓ３２：書込用情報確認処理）。そして、設定変更用入力ファイルＩＦＳが格納されている場合に、設定情報ＤＢ１３ｂに記憶された複数個の設定項目のうち、書込用情報に含まれる指定設定項目に対応する対応設定情報を、書込用情報に含まれる指定設定情報に基づいて変更する（Ｓ３４：変更処理）。したがって、ＵＳＢＩ／Ｆ１８に接続されたＵＳＢメモリ３に設定変更用入力ファイルＩＦＳが格納されている場合には、設定変更用入力ファイルＩＦＳに記憶されている書込用情報に基づいて変更処理を行うことができる。
【００５２】
加えて、上述の実施形態においては、設定変更用入力ファイルＩＦＳに記憶されている書込用情報に含まれるシリアルＩＤが、不揮発性記憶装置１３に記憶されている装置識別情報１３ｄであるシリアルＩＤと一致するか否かを判断し（Ｓ３３：装置識別処理）、書込用情報に含まれるシリアルＩＤが、不揮発性記憶装置１３に記憶されているシリアルＩＤと異なると判断した場合に変更処理を実行する。したがって、設定をエクスポートした複合機１Ａに対して設定変更が行われるのを防ぐことができる。
【００５３】
さらに、上述の実施形態においては、設定変更処理において、ＵＳＢＩ／Ｆ１８に接続されたＵＳＢメモリ３に格納されているファイルのファイル名を取得し（ファイル名取得処理）、ファイル名に文字列「write」が含まれている場合に書込用情報を含む設定変更用入力ファイルＩＦＳであると判断する。そして、設定取得処理において、書込用情報を含む設定情報ファイルをＵＳＢメモリ３に記憶する際に、ファイル名に文字列「write」を含むファイルを出力する。したがって、ファイル名に文字列「write」が含まれているか否かで、書込用情報を含む設定変更用入力ファイルＩＦＳであることを判断できる。
【００５４】
[第２実施形態]
次に、本発明の第２実施形態にかかる複合機について説明する。本実施形態にかかる複合機は、設定取得処理の手順が第１実施形態の複合機１Ａと異なっている。本実施形態の複合機における設定取得処理は、エクスポートモードに移行する際の認証処理の手順が第１実施形態と主に異なっている。すなわち、第１実施形態の複合機１Ａで設定取得処理を行う際には、タッチパネル１４に表示されたパスワード入力画面９０においてユーザにより入力された入力パスワードが、不揮発性記憶装置１３に記憶されている認証パスワード１３ｃと一致するか否かを判断し、両者が一致する場合にエクスポートモードに移行する場合について説明した。一方、本実施形態においては、設定取得処理を行う際に用いる設定取得用入力ファイルＩＦＧに指定情報に加えてパスワードが記憶されている。そして、設定取得用入力ファイルＩＦＧから取得した取得パスワードが、不揮発性記憶装置１３に記憶されている認証パスワード１３ｃと一致するか否かを判断し、両者が一致する場合にエクスポートモードに移行する。
【００５５】
また、第１実施形態においては、複合機１Ａがダイレクトプリント機能を有している場合について説明した。ダイレクトプリント機能を有する複合機は、複数のサムネイル画像を表示し、その複数のサムネイル画像の中から印刷する画像を選択する操作を行う必要があるので、比較的大画面のタッチパネル１４を備えている。本実施形態の複合機は、ダイレクトプリント機能を有さないものを想定している。したがって、本実施形態の複合機の表示部は、比較的小さく表示機能のみを有するディスプレイである。その他の本実施形態の複合機の装置構成については第１実施形態の複合機１Ａと同じであるので、構成の説明は省略する。
【００５６】
図８に示すように、第２実施形態の複合機の制御部において設定処理を行う際には、まず図４に示すＳ１１、Ｓ１２の処理と同じ処理を行う（Ｓ４１）。そして、ＵＳＢＩ／Ｆ１８に接続されたＵＳＢメモリ３に格納されている設定取得用入力ファイルＩＦＧに記憶されている指定情報及びパスワードを揮発性記憶装置１２に記憶し、その指定情報及びパスワードを解析する（Ｓ４３：指定情報記憶処理／解析処理）。なお、指定情報の揮発性記憶装置１２への記憶が完了した時点で、ＵＳＢＩ／Ｆ１８へのＵＳＢメモリ３の接続を解除してＵＳＢメモリ３を取り外すことが可能である旨をユーザに報知するメッセージをディスプレイに表示する。変形例としては、ＵＳＢメモリ３を取り外すことが可能である旨の報知は、スピーカーから音声発することや、ランプを点灯させることにより報知してもよい。次に、設定取得用入力ファイルＩＦＧから取得した取得パスワードが、不揮発性記憶装置１３に記憶されている認証パスワード１３ｃと一致するか否かを判断する（Ｓ４４）。
【００５７】
取得パスワードが認証パスワード１３ｃと一致しないと判断した場合には（Ｓ４４：ＮＯ）、パスワードが間違っているためにエクスポートモードに移行できない旨のメッセージをディスプレイに表示する（Ｓ４５）。変形例としては、エクスポートモードに移行できない旨の報知は、スピーカーから音声発することや、ランプを点灯させることにより報知してもよい。さらに、揮発性記憶装置１２に記憶した指定情報を削除し（Ｓ４６：削除処理）、設定取得処理を終了する。なお、変形例としては、Ｓ４６の削除処理は行われなくてもよい。一方、取得パスワードが認証パスワード１３ｃと一致すると判断した場合には（Ｓ４４：ＹＥＳ）、エクスポートモードに移行する（Ｓ４７）。
【００５８】
続いて、Ｓ４３の解析処理で解析された指定情報で指定される指定設定項目と、設定情報ＤＢ１３ｂに記憶された設定情報のうち指定設定項目に対応する指定設定情報とを組み合わせた書込用情報を作成して揮発性記憶装置１２に記憶する（Ｓ４８：書込用情報作成処理／書込用情報記憶処理）。その後、ＵＳＢＩ／Ｆ１８に対して再度ＵＳＢメモリ３が接続されたことを検出したか否かを判断する（Ｓ４９：接続判断処理）。
【００５９】
一方、ＳＢＩ／Ｆ１８に対してＵＳＢメモリ３が接続されたと判断した場合には（Ｓ４９：ＹＥＳ）、接続されたＵＳＢメモリ３にエクスポートモードを解除するための解除情報が記憶されているか否かを判断する（Ｓ５０）。解除情報が記憶されていると判断した場合には（Ｓ５０：ＹＥＳ）、指定情報及び書込用情報をそれぞれ揮発性記憶装置１２から削除し（Ｓ５３）、エクスポートモードを解除する（Ｓ５４：モード解除処理）。その後、設定取得処理を終了する。本実施形態においては、解除情報は、設定取得用入力ファイルＩＦＧに記憶されている指示情報とする。すなわち、Ｓ１１においてＵＳＢＩ／Ｆ１８に接続されていると判断され、さらにＳ１２において設定取得用入力ファイルＩＦＧが格納されていると判断されたＵＳＢメモリ３が、一度ＵＳＢＩ／Ｆ１８から取り外された後、再度同じＵＳＢメモリ３がＵＳＢＩ／Ｆ１８に接続されたときに、エクスポートモードが解除される。変形例としては、解除情報は、指示情報とは異なる情報であってもよい。
【００６０】
また、Ｓ５０において、解除情報が記憶されていないと判断した場合には（Ｓ５０：ＮＯ）、Ｓ４８で作成されて揮発性記憶装置１２に記憶された書込用情報を含む設定情報ファイルをＵＳＢメモリ３に記憶する（Ｓ５１）。続いて、ＵＳＢメモリ３への記憶処理が完了したか否かを判断する（Ｓ５２）。Ｓ５２での判断は、ＵＳＢメモリ３への記憶処理が完了したと判断するまで繰り返し行われる。そして、ＵＳＢメモリ３への記憶処理が完了したと判断した場合には（Ｓ５２：ＹＥＳ）、Ｓ４９に戻る。
【００６１】
以上のように、上述の第２実施形態によると、第１実施形態と同様に、書込用情報を記憶するＵＳＢメモリ３を容易に複数個作成することができるので、複数の複合機１Ｂへの設定作業を効率的に行うことができる。また、予め複数のＵＳＢメモリ３に指定情報をそれぞれ記憶させる作業を作業者に任せる必要が無くなるので、指定情報が予期せず変更されなくなって、設定作業済みの複合機１Ａから意図しない情報が取得される虞が少なくなる。
【００６２】
また、上述の第２実施形態では、ＵＳＢメモリ３に記憶されたパスワードでの認証がなされた場合にのみ書込用情報をＵＳＢメモリ３に出力することで、意図しない情報の流出を防ぐことができる。
【００６３】
さらに、上述の第２実施形態においては、エクスポートモードに移行する際の認証処理に必要なパスワードは設定取得用入力ファイルＩＦＧに記憶されており、第１実施形態のようにタッチパネル１４でパスワードを入力する必要がない。また、エクスポートモードを解除するための解除情報はＳＢＩ／Ｆ１８に接続されたＵＳＢメモリ３に記憶されており、第１実施形態のようにタッチパネル１４で解除指示を入力する必要がない。したがって、ダイレクトプリント機能を有しておらず、表示部が比較的小さく表示機能のみを有するディスプレイであるような複合機にも適用することができる。
【００６４】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００６５】
上述の第１及び第２実施形態では、書込用情報作成処理で作成された書込用情報を揮発性記憶装置１２に記憶し、書込用情報出力処理においては、揮発性記憶装置１２に記憶された書込用情報を含む設定情報ファイルを、別の接続判断処理においてＵＳＢＩ／Ｆ１８に接続されたと判断されたＵＳＢメモリ３に記憶する場合について説明したが、書込用情報は揮発性記憶装置１２に記憶されなくてもよい。すなわち、図４のＳ１６において指定情報記憶処理及び解析処理を行った後、Ｓ１７の書込用情報作成処理及び書込用情報記憶処理を行わず、Ｓ１８の接続判断処理を行う。そして、Ｓ１８の接続判断処理においてＵＳＢＩ／Ｆ１８に対してＵＳＢメモリ３が接続されたと判断したときに、書込用情報作成処理を実行し、作成した書込用情報をＵＳＢメモリ３に記憶してもよい。
【００６６】
また、上述の第１実施形態においては、ＵＳＢＩ／Ｆ１８に接続されたＵＳＢメモリ３に格納されている設定取得用入力ファイルＩＦＧに記憶されている指定情報を揮発性記憶装置１２に記憶する場合について説明したが、指定情報は揮発性記憶装置１２に記憶されなくてもよい。
【００６７】
さらに、上述の第１及び第２実施形態においては、エクスポートモードである場合にのみ書込用情報出力処理を実行可能ある場合について説明したが、書込用情報出力処理の実行にこのような制限は設けられていなくてもよい。
【００６８】
加えて、上述の第１及び第２実施形態においては、エクスポートモードを解除した後に、指定情報及び書込用情報をそれぞれ揮発性記憶装置１２から削除する場合について説明したが、指定情報及び書込用情報は削除されなくてもよい。
【００６９】
また、上述の第１実施形態において、Ｓ１３でのパスワード入力画面９０の表示を実行する前に、Ｓ１６の指定情報記憶処理を実行してもよい。この場合、Ｓ１４においてユーザにより入力された入力パスワードが認証パスワード１３ｃと一致しないと判断した場合には、指定情報記憶処理においてを揮発性記憶装置１２に記憶した指定情報を削除する。
【００７０】
また、上述の実施形態では、複合機１Ａ、１Ｂに本発明を適用した場合について説明しているが、単体のスキャナやプリンタにも適用できる。また、上述の実施形態のＵＳＢメモリ３に代えて、ＳＤカードやスマートメディアなどのメモリーカードや、ＤＶＤ−ＲＯＭなどの光ディスクや磁気ディスクが用いられても良い。
【符号の説明】
【００７１】
１Ａ、１Ｂ  複合機（画像形成装置）
１０  制御部
１２  揮発性記憶装置（内部メモリ）
１３  不揮発性記憶装置（内部メモリ）
１４  タッチパネル（受付部、ユーザ情報表示部）
１８  ＵＳＢＩ／Ｆ（インターフェース）
【図１】
2019180063.tif 000003
【図２】
2019180063.tif 000004
【図３】
2019180063.tif 000005
【図４】
2019180063.tif 000006
【図５】
2019180063.tif 000007
【図６】
2019180063.tif 000008
【図７】
2019180063.tif 000009
【図８】
2019180063.tif 000010